(57)【要約】【課題】記憶容量の比較的小さい記憶装置しか備えていない場合であっても、電子ペーパーの複数ページの画像を複数部数印刷することができる画像処理装置を提供する。【解決手段】画像処理装置は、指定された印刷枚数及び印刷部数に応じて電子ペーパーの画像を読み取り、読み取られた画像を印刷する手段（Ｓ１０４）と、指定された印刷枚数の画像が読み取られていない場合（Ｓ１０５のＮｏ）に、電子ペーパーに対して次のページの画像を表示させるための指示を送信し（Ｓ１０７）、指定された印刷枚数の画像が読み取られている場合（Ｓ１０４のＹｅｓ）に、指定された印刷部数の画像が読み取られたか否かを判断し（Ｓ１０６）、指定された印刷部数の画像が前記読取手段で読み取られていない場合（Ｓ１０６のＮｏ）は、電子ペーパーに対して先頭ページの画像を表示させるための指示を送信する（Ｓ１０８）。【選択図】図６
2011010089.tif 000002
【特許請求の範囲】
【請求項１】
電子ペーパーと通信手段を介して通信が可能な画像処理装置であって、
指定された印刷枚数及び印刷部数に応じて原稿の画像を読み取る読取手段と、
該読取手段により読み取られた原稿の画像を印刷する印刷手段と、
前記原稿が電子ペーパーの場合に、前記指定された印刷枚数の画像が前記読取手段により読み取られたか否かを判断する第１の判断手段と、
該第１の判断手段により前記指定された印刷枚数の画像が前記読取手段で読み取られていないと判断された場合に、前記電子ペーパーに対して次のページの画像を表示させるための指示を前記通信手段を介して送信する第１の送信手段と、
前記第１の判断手段により前記指定された印刷枚数の画像が前記読取手段で読み取られている判断された場合に、前記指定された印刷部数の画像が前記読取手段で読み取られたか否かを判断する第２の判断手段と、
該第２の判断手段により前記指定された印刷部数の画像が前記読取手段で読み取られていないと判断された場合に、前記電子ペーパーに対して先頭ページの画像を表示させるための指示を前記通信手段を介して送信する第２の送信手段と、を備える
ことを特徴とする画像処理装置。
【請求項２】
原稿の種類が紙原稿か電子ペーパーかをユーザに選択させるための画像を表示部に表示する原稿種類選択手段を備え、
該原稿種類選択手段は、電子ペーパーが選択された場合に、ソート印刷を行うか否かをユーザに選択させるための画像を前記表示部に表示する、
ことを特徴とする請求項１に記載の画像処理装置。
【請求項３】
前記電子ペーパーに対して前記通信手段を介してページ総数を問い合わせる問い合わせ手段と、
前記問い合わせに応じて前記電子ペーパーから前記通信手段を介して受信したページ総数を前記指定された印刷枚数として設定する設定手段と、を備える
ことを特徴とする請求項１又は２に記載の画像処理装置。
【請求項４】
前記原稿種類選択手段は、ソート印刷を行う選択がされた場合に、印刷枚数を指定するための画像を前記表示部に表示する、
ことを特徴とする請求項２に記載の画像処理装置。
【請求項５】
ユーザ操作により選択された原稿の種類の選択情報に基づいて該原稿が紙原稿か電子ペーパーかを判別する第１の判別手段と、
該第１の判別手段により原稿が電子ペーパーであると判別された場合に、ユーザ操作により選択された印刷機能がソート印刷か否かを判別する第２の判別手段と、を備え、
前記第１の判断手段は、前記第２の判別手段により印刷機能がソート印刷であると判別された場合に、前記指定された印刷枚数の画像が前記読取手段により読み取られたか否かを判断する、
ことを特徴とする請求項１〜４のいずれか一項に記載の画像処理装置。
【請求項６】
電子ペーパーと通信手段を介して通信が可能な画像処理装置の制御方法であって、
指定された印刷枚数及び印刷部数に応じて原稿の画像を読み取る読取ステップと、
該読取ステップで読み取られた原稿の画像を印刷する印刷ステップと、
前記原稿が電子ペーパーの場合に、前記指定された印刷枚数の画像が前記読取ステップで読み取られたか否かを判断する第１の判断ステップと、
該第１の判断ステップで前記指定された印刷枚数の画像が前記読取ステップで読み取られていないと判断された場合に、前記電子ペーパーに対して次のページの画像を表示させるための指示を前記通信手段を介して送信する第１の送信ステップと、
前記第１の判断ステップで前記指定された印刷枚数の画像が前記読取ステップで読み取られている判断された場合に、前記指定された印刷部数の画像が前記読取ステップで読み取られたか否かを判断する第２の判断ステップと、
該第２の判断ステップで前記指定された印刷部数の画像が前記読取ステップで読み取られていないと判断された場合に、前記電子ペーパーに対して先頭ページの画像を表示させるための指示を前記通信手段を介して送信する第２の送信ステップと、を備えることを特徴とする画像処理装置の制御方法。
【請求項７】
電子ペーパーと通信手段を介して通信が可能な画像処理装置を制御するプログラムであって、
指定された印刷枚数及び印刷部数に応じて原稿の画像を読み取る読取ステップと、
該読取ステップで読み取られた原稿の画像を印刷する印刷ステップと、
前記原稿が電子ペーパーの場合に、前記指定された印刷枚数の画像が前記読取ステップで読み取られたか否かを判断する第１の判断ステップと、
該第１の判断ステップで前記指定された印刷枚数の画像が前記読取ステップで読み取られていないと判断された場合に、前記電子ペーパーに対して次のページの画像を表示させるための指示を前記通信手段を介して送信する第１の送信ステップと、
前記第１の判断ステップで前記指定された印刷枚数の画像が前記読取ステップで読み取られている判断された場合に、前記指定された印刷部数の画像が前記読取ステップで読み取られたか否かを判断する第２の判断ステップと、
該第２の判断ステップで前記指定された印刷部数の画像が前記読取ステップで読み取られていないと判断された場合に、前記電子ペーパーに対して先頭ページの画像を表示させるための指示を前記通信手段を介して送信する第２の送信ステップと、をコンピュータに実行させる、ことを特徴とするプログラム。
【発明の詳細な説明】
【技術分野】
【０００１】
本発明は、電子ペーパーの画像を印刷する画像処理装置、画像処理装置の制御方法、及びプログラムに関する。
【背景技術】
【０００２】
近年、スキャナ部で電子ペーパーの画像を読み取り、電子ペーパーに次のページの画像がある場合には、ページ送りコマンドを発行して電子ペーパーのページを次のページに切り替える画像処理装置が提案されている（特許文献１）。
【０００３】
一方、大容量のＨＤＤ等の記憶装置を備える画像処理装置では、例えば、原稿給紙ユニットに複数枚の原稿を設置して部数毎にページを並び替えるソート印刷で複数部数印刷する場合、スキャナ部で読み取った全ての原稿の画像データを記憶装置に記憶する。そして記憶装置に記憶した全ての原稿の画像データをページ順に読み出すことでソート印刷を実現している。
【０００４】
また、大容量の記憶装置を備えていない画像処理装置では、複数ページの画像を部数毎に印刷するグループ印刷機能を持つものがある。グループ印刷は、例えば２０ページの画像を３部印刷する場合には、１ページ目を３部出力した後に２ページ目に移行するため、１ページ分の画像データを記憶する記憶装置があれば複数ページの画像を部数毎に印刷することが可能である。
【先行技術文献】
【特許文献】
【０００５】
【特許文献１】特開２００８−１４１５９０号公報
【発明の概要】
【発明が解決しようとする課題】
【０００６】
しかし、上記特許文献１では、電子ペーパーの複数ページの画像を複数部数印刷する場合のページの切り替え手法については開示されていない。また、電子ペーパーの複数ページの画像を複数部数ソート印刷するためには大容量の記憶装置が必要となり、大容量の記憶装置がない廉価な画像処理装置においては対応することができない。
【０００７】
そこで、本発明は、記憶容量の比較的小さい記憶装置しか備えていない場合であっても、電子ペーパーの複数ページの画像を複数部数印刷することができる画像処理装置、画像処理装置の制御方法、及びプログラムを提供することを目的とする。
【課題を解決するための手段】
【０００８】
上記目的を達成するために、本発明の画像処理装置は、電子ペーパーと通信手段を介して通信が可能な画像処理装置であって、指定された印刷枚数及び印刷部数に応じて原稿の画像を読み取る読取手段と、該読取手段により読み取られた原稿の画像を印刷する印刷手段と、前記原稿が電子ペーパーの場合に、前記指定された印刷枚数の画像が前記読取手段により読み取られたか否かを判断する第１の判断手段と、該第１の判断手段により前記指定された印刷枚数の画像が前記読取手段で読み取られていないと判断された場合に、前記電子ペーパーに対して次のページの画像を表示させるための指示を前記通信手段を介して送信する第１の送信手段と、前記第１の判断手段により前記指定された印刷枚数の画像が前記読取手段で読み取られている判断された場合に、前記指定された印刷部数の画像が前記読取手段で読み取られたか否かを判断する第２の判断手段と、該第２の判断手段により前記指定された印刷部数の画像が前記読取手段で読み取られていないと判断された場合に、前記電子ペーパーに対して先頭ページの画像を表示させるための指示を前記通信手段を介して送信する第２の送信手段と、を備えることを特徴とする。
【０００９】
本発明の画像処理装置の制御方法は、電子ペーパーと通信手段を介して通信が可能な画像処理装置の制御方法であって、指定された印刷枚数及び印刷部数に応じて原稿の画像を読み取る読取ステップと、該読取ステップで読み取られた原稿の画像を印刷する印刷ステップと、前記原稿が電子ペーパーの場合に、前記指定された印刷枚数の画像が前記読取ステップで読み取られたか否かを判断する第１の判断ステップと、該第１の判断ステップで前記指定された印刷枚数の画像が前記読取ステップで読み取られていないと判断された場合に、前記電子ペーパーに対して次のページの画像を表示させるための指示を前記通信手段を介して送信する第１の送信ステップと、前記第１の判断ステップで前記指定された印刷枚数の画像が前記読取ステップで読み取られている判断された場合に、前記指定された印刷部数の画像が前記読取ステップで読み取られたか否かを判断する第２の判断ステップと、該第２の判断ステップで前記指定された印刷部数の画像が前記読取ステップで読み取られていないと判断された場合に、前記電子ペーパーに対して先頭ページの画像を表示させるための指示を前記通信手段を介して送信する第２の送信ステップと、を備えることを特徴とする。
【００１０】
本発明のプログラムは、電子ペーパーと通信手段を介して通信が可能な画像処理装置を制御するプログラムであって、指定された印刷枚数及び印刷部数に応じて原稿の画像を読み取る読取ステップと、該読取ステップで読み取られた原稿の画像を印刷する印刷ステップと、前記原稿が電子ペーパーの場合に、前記指定された印刷枚数の画像が前記読取ステップで読み取られたか否かを判断する第１の判断ステップと、該第１の判断ステップで前記指定された印刷枚数の画像が前記読取ステップで読み取られていないと判断された場合に、前記電子ペーパーに対して次のページの画像を表示させるための指示を前記通信手段を介して送信する第１の送信ステップと、前記第１の判断ステップで前記指定された印刷枚数の画像が前記読取ステップで読み取られている判断された場合に、前記指定された印刷部数の画像が前記読取ステップで読み取られたか否かを判断する第２の判断ステップと、該第２の判断ステップで前記指定された印刷部数の画像が前記読取ステップで読み取られていないと判断された場合に、前記電子ペーパーに対して先頭ページの画像を表示させるための指示を前記通信手段を介して送信する第２の送信ステップと、をコンピュータに実行させることを特徴とする。
【発明の効果】
【００１１】
本発明によれば、記憶容量の比較的小さい記憶装置しか備えていない画像処理装置であっても、電子ペーパーの複数ページの画像を複数部数印刷することができる。
【図面の簡単な説明】
【００１２】
【図１】本発明の第１の実施形態である画像処理装置の構成例を説明するためのブロック図である。
【図２】制御装置の構成例を説明するためのブロック図である。
【図３】スキャナユニットの一例を説明するための斜視図である。
【図４】電子ペーパーの一例を説明するための平面図である。
【図５】操作部の一例を説明するための図である。
【図６】画像処理装置の動作例について説明するためのフローチャート図である。
【図７】本発明の第２の実施形態である画像処理装置におけるユーザーインターフェースの一例を示す図である。
【図８】画像処理装置の動作例について説明するためのフローチャート図である。
【図９】本発明の第３の実施形態である画像処理装置で用いる電子ペーパーの一例を示す図である。
【図１０】画像処理装置の動作例について説明するためのフローチャート図である。
【発明を実施するための形態】
【００１３】
以下、本発明の実施形態を図面を参照して説明する。
【００１４】
（第１の実施形態）
図１は、本発明の第１の実施形態である画像処理装置の構成例を説明するためのブロック図である。
【００１５】
図１に示すように、本実施形態の画像処理装置１００は、制御装置１１０、画像読取部１２０、プリンタ部１３０、及び操作部１４０を備える。
【００１６】
制御装置１１０は、画像読取部１２０とプリンタ部１３０とのＩ／Ｆを備え、画像読取部１２０で読み取った画像データを圧縮・伸長等の画像処理を行いプリンタ部１３０へ画像データを出力する。尚、制御装置は、不図示のネットワークインターフェースを介してＬＡＮ等のネットワークと接続可能になっている。
【００１７】
画像読取部１２０は、原稿給紙ユニット１２１及びスキャナユニット１２２を備え、スキャナユニット１２２は、電子ペーパーとの間で簡易なコマンド等の通信が可能な通信Ｉ／Ｆ１２３を有する。本実施形態では、通信Ｉ／Ｆ１２３は、非接触通信Ｉ／Ｆ２０３と接触通信Ｉ／Ｆ２０５とを備えているが、いずれか一方を備えるものであっても良い。
【００１８】
プリンタ部１３０は、画像データを印刷するための処理を行い、シートに転写／定着する機構を有し、また、印刷されたシートにステイプル処理やパンチ処理等を施し、外部に排出する機構を有する。
【００１９】
図２は、制御装置１１０の構成例を説明するためのブロック図である。
【００２０】
図２に示すように、制御装置１１０は、システムバス１０００に、ＣＰＵ１１００、ＲＡＭ１１１０、ＲＯＭ１１２０、操作部Ｉ／Ｆ１５００、ＬＡＮＣ１２００、及びイメージバスＩ／Ｆが接続される。
【００２１】
ＣＰＵ１１００は、画像処理装置１００全体を制御する。ＲＡＭ１１１０は、ＣＰＵ１１００が動作するためのシステムワークメモリであり、画像データを一時記憶するための画像メモリでもある。ＲＯＭ１１２０は、ブートＲＯＭでありシステムのブートプログラムが格納される。
【００２２】
操作部Ｉ／Ｆ１５００は、操作部１４０とのインターフェース部であり、操作部１４０に表示する画像データを操作部１４０に対して出力する。また、操作部Ｉ／Ｆ１５００は、操作部１４０からユーザが入力した情報をＣＰＵ１１００に出力する。
【００２３】
イメージバスＩ／Ｆ１６００は、システムバス１０００と画像データを高速で転送する画像バス１３００とを接続し、データ構造を変換するバスブリッジである。
【００２４】
画像バス１３００には、デバイスＩ／Ｆ１４００、ＲＩＰ（ラスターイメージプロセッサ）１７００、スキャナ画像処理部１７１０、プリンタ画像処理部１７２０、画像回転部１７３０、及び画像圧縮部１７４０が接続される。
【００２５】
デバイスＩ／Ｆ１４００は、画像入力デバイスであるスキャナユニット１２２や画像出力デバイスであるプリンタ部１３０を接続するインターフェース部であり、画像データの同期系／非同期系の変換を行う。プリンタ部１３０は、ＬＡＮＣ１２００に接続されるＬＡＮ５０を介してＰＣ等の外部装置から送信されたＰＤＬデータ等をシートに印刷することができる。
【００２６】
ＲＩＰ１７００は、ＰＤＬコードをビットマップイメージに展開する。スキャナ画像処理部１７１０は、入力画像データに対し補正、加工または編集を行う。プリンタ画像処理部１７２０は、出力画像データに対して、補正や解像度変換等を行う。画像回転部１７３０は、画像データの回転処理を行う。画像圧縮部１７４０は、多値画像データはＪＰＥＧで、二値画像データはＪＢＩＧ、ＭＭＲまたはＭＨで圧縮伸長処理を行う。
【００２７】
ＬＡＮＣ１２００は、ＬＡＮ５０と接続するためのＬＡＮコントローラであり、ＬＡＮを介して受信したネットワークパケットデータの処理を行う。
【００２８】
図３は、スキャナユニット１２２の一例を説明するための斜視図である。
【００２９】
図３に示すように、スキャナユニット１２２は、原稿台２０２に載置された原稿又は原稿給紙ユニット１２１から給紙された原稿の画像をスキャナシステム２０４で読み取る。圧板２０１は、原稿の画像をスキャナシステム２０４で読み取る際に、閉じ状態とされて、スキャナシステム２０４から照射される光を反射させる。非接触通信Ｉ／Ｆ２０３は、原稿台２０２に電子ペーパーが載置されると、電子ペーパーにページ総数問合せコマンド（指示）の発行や電子ペーパーのページ切り替えを行うコマンドを発行するための通信インターフェース部となっている。非接触通信Ｉ／Ｆ２０３は例えばＲＦＩＤによって通信を行うためのインターフェースであり、その場合、ＲＦＩＤリーダ、ＲＦＩＤライタとして動作する。また、接触通信Ｉ／Ｆ２０５は、例えばＵＳＢによって通信を行うインターフェースである。
【００３０】
図４は、電子ペーパーの一例を説明するための平面図である。
【００３１】
図４に示すように、電子ペーパー３００は、画像表示部３０１、非接触通信Ｉ／Ｆ２０３ａ、接触通信Ｉ／Ｆ２０５ａ、及びメモリ３０３を備える。
【００３２】
画像表示部３０１は、メモリ３０３に記憶された画像データまたは接触通信Ｉ／Ｆ２０５ａを介して他のデバイスから転送された画像データを表示する。また、画像表示部３０１の下部には、現在表示されているページ番号とページ総数を表す現在のページ番号／ページ総数３０２が表示される。メモリ３０３は、画像データを記憶するため、またはシステムを起動するためのデータを格納するためのデバイスである。
【００３３】
非接触通信Ｉ／Ｆ２０３ａは、コマンド等を受け付ける通信Ｉ／Ｆであり、画像の切り替え、または複数のページがある場合の画像のページ切り替えに使用される。接触通信Ｉ／Ｆ２０５ａは、電子ペーパー３００の内部にある不図示のメモリに画像データを転送するため、または表示する画像データを転送するためのＩ／Ｆである。本実施形態では、電子ペーパー３００は、非接触通信Ｉ／Ｆ２０３ａと接触通信Ｉ／Ｆ２０５ａとを備えているが、いずれか一方を備えるものであっても良い。
【００３４】
図５は、操作部１４０の一例を説明するための図である。
【００３５】
図５に示すように、操作部１４０は、ユーザーインターフェースとしての表示部４００及び不図示のハードキー等から構成される。表示部４００は、例えばタッチパネル式とされており、原稿種類選択部４０１及び設定状況表示部４０２を有する。
【００３６】
原稿種類選択部４０１で電子ペーパーが選択された場合には、図５（ａ）に示すように、ソート印刷機能の選択タグ４０３が表示されて機能が拡張される。また、原稿種類選択部４０１で紙原稿が選択された場合には、図５（ｂ）に示すように、ソート印刷機能の選択タグ４０３は表示されない。ユーザ操作による原稿種類選択部４０１及び選択タグ４０３での選択情報は、ＣＰＵ１１００に出力される。
【００３７】
次に、図６を参照して、本実施形態の画像処理装置１００の動作例について説明する。
【００３８】
図６での各処理は、制御装置１１０のＲＯＭ１１２０等に記憶されたプログラムがＲＡＭ１１１０にロードされて、ＣＰＵ１１００等により実行される。
【００３９】
ステップＳ１０１では、ＣＰＵ１１００は、操作部１４０でのユーザ操作により原稿種類選択部４０１で紙原稿が選択されているか、電子ペーパーが選択されているかを判別する。ここでの判別処理は、本発明の第１の判別手段の一例に相当する。
【００４０】
そして、 ＣＰＵ１１００は、紙原稿が選択されている場合は、ステップＳ１０９に進み、電子ペーパーが選択されている場合は、ステップＳ１０２に進む。
【００４１】
ステップＳ１０９では、ＣＰＵ１１００は、操作部１４０のコピー開始ボタン等が押下されると、原稿給紙ユニット１２１から給紙された原稿又は原稿台２０２に載置された原稿の画像をスキャナシステム２０４により読み取り、ステップＳ１１０に進む。
【００４２】
ステップＳ１１０では、ＣＰＵ１１００は、ステップＳ１０９で読み取られた原稿の画像データをプリンタ部１３０で印刷し、処理を終了する。
【００４３】
一方、ステップＳ１０２では、ＣＰＵ１１００は、操作部１４０の表示部４００にソート印刷機能の選択タグ４０３を表示するとともに、選択タグ４０３でソート印刷が選択されているか否かを判別する。ここでの判別処理は、本発明の第２の判別手段の一例に相当する。
【００４４】
そして、ＣＰＵ１１００は、ソート印刷が選択されている場合は、ステップＳ１０３に進み、ソート印刷が選択されていない場合は、ステップＳ１０９に進み、上記同様の処理を行う。
【００４５】
ステップＳ１０３では、ＣＰＵ１１００は、操作部１４０のコピー開始ボタン等が押下されると、非接触通信Ｉ／Ｆ２０３，２０３ａを介して原稿台２０２に載置された電子ペーパーにページ総数の問い合わせコマンドを発行し、ステップＳ１０４に進む。なお、ここでは、ページ総数が指定印刷枚数となる。
【００４６】
ステップＳ１０４では、ＣＰＵ１１００は、電子ペーパーから非接触通信Ｉ／Ｆ２０３ａ，２０３を介して受信したページ総数に対して、スキャナシステム２０４により電子ペーパーの１ページ分の画像を読み取る。
【００４７】
そして、ＣＰＵ１１００は、読み取られた電子ペーパーの画像データをプリンタ部１３０で印刷し、ステップＳ１０５に進む。
【００４８】
ステップＳ１０５では、ＣＰＵ１１００は、ページ総数分の電子ペーパーの画像データがスキャナシステム２０４により読み取られたか否かを判断し、読み取られた場合は、ステップＳ１０６に進み、読み取られていない場合は、ステップＳ１０７に進む。ここでの判断処理は、本発明の第１の判断手段の一例に相当する。
【００４９】
ステップＳ１０７では、ＣＰＵ１１００は、非接触通信Ｉ／Ｆ２０３，２０３ａを介して原稿台２０２に載置された電子ペーパーにページ送りコマンドを発行し、ステップＳ１０４に戻る。ここで、電子ペーパーの画像表示部３０１には、次ページの画像が表示される。ここでのコマンド発行処理は、本発明の第１の送信手段の一例に相当する。
【００５０】
ステップＳ１０６では、ＣＰＵ１１００は、ユーザ操作により操作部１４０で指定された印刷部数の画像データがスキャナシステム２０４により読み取られたか否かを判断する。ここでの判断処理は、本発明の第２の判断手段の一例に相当する。
【００５１】
そして、ＣＰＵ１１００は、指定された印刷部数の画像データが読み取られた場合は、処理を終了し、指定された印刷部数の画像データが読み取られていない場合は、ステップＳ１０８に進む。
【００５２】
ステップＳ１０８では、ＣＰＵ１１００は、非接触通信Ｉ／Ｆ２０３，２０３ａを介して原稿台２０２に載置された電子ペーパーに先頭ページ戻りコマンドを発行し、ステップＳ１０４に戻る。ここで、電子ペーパーの画像表示部３０１には、先頭ページの画像が表示される。ここでのコマンド発行処理は、本発明の第２の送信手段の一例に相当する。
【００５３】
以上説明したように、本実施形態では、電子ペーパーからページ総数を取得し、印刷枚数が取得したページ総数に達していない場合は、ページ送りコマンドを発行して電子ペーパーに次ページの画像を表示させる。
【００５４】
また、印刷枚数が取得したページ総数に達している場合は、印刷部数が指定印刷部数に達するまで、電子ペーパーに対して先頭ページ戻りコマンドを発行し、電子ペーパーに先頭ページの画像を表示させる。
【００５５】
これにより、記憶容量の比較的小さい記憶装置しか備えていない画像処理装置であっても、電子ペーパーの複数ページの画像を複数部数ソート印刷することができる。
【００５６】
（第２の実施形態）
次に、図７及び図８を参照して、本発明の第２の実施形態である画像処理装置について説明する。なお、上記第１の実施形態に対して重複又は相当する部分については、図及び符号を流用して説明する。
【００５７】
図７は、本実施形態における操作部１４０の表示部４００での表示例を示す図である。
【００５８】
表示部４００において、原稿種類選択部４０１で電子ペーパーが選択された場合には、図７（ａ）に示すように、ソート印刷機能の選択タグ４０３が表示され、選択タグ４０３でソート印刷が選択された場合には、印刷枚数の設定タグ４０４が表示される。
【００５９】
また、原稿種類選択部４０１で紙原稿が選択された場合には、図７（ｂ）に示すように、ソート印刷機能の選択タグ４０３は表示されない。ユーザ操作による原稿種類選択部４０１及び選択タグ４０３での選択情報及び設定タグ４０４での設定情報は、ＣＰＵ１１００に出力される。
【００６０】
次に、図８を参照して、本実施形態の画像処理装置１００の動作例について説明する。
【００６１】
図８での各処理は、制御装置１１０のＲＯＭ１１２０等に記憶されたプログラムがＲＡＭ１１１０にロードされて、ＣＰＵ１１００等により実行される。
【００６２】
ステップＳ２００では、ＣＰＵ１１００は、操作部１４０でのユーザ操作により原稿種類選択部４０１で紙原稿が選択されているか、電子ペーパーが選択されているかを判別する。
【００６３】
そして、 ＣＰＵ１１００は、紙原稿が選択されている場合は、ステップＳ２０２に進み、電子ペーパーが選択されている場合は、ステップＳ２０１に進む。
【００６４】
ステップＳ２０２では、ＣＰＵ１１００は、操作部１４０のコピー開始ボタン等が押下されると、原稿給紙ユニット１２１から給紙された原稿又は原稿台２０２に載置された原稿の画像をスキャナシステム２０４により読み取り、ステップＳ２０３に進む。
【００６５】
ステップＳ２０３では、ＣＰＵ１１００は、ステップＳ２０２で読み取られた原稿の画像データをプリンタ部１３０で印刷し、処理を終了する。
【００６６】
一方、ステップＳ２０１では、ＣＰＵ１１００は、操作部１４０の表示部４００にソート印刷機能の選択タグ４０３を表示するとともに、選択タグ４０３でソート印刷が選択されているか否かを判断する。
【００６７】
そして、ＣＰＵ１１００は、ソート印刷が選択されている場合は、ステップＳ２０４に進み、ソート印刷が選択されていない場合は、ステップＳ２０２に進み、上記同様の処理を行う。
【００６８】
ステップＳ２０４では、ＣＰＵ１１００は、操作部１４０のコピー開始ボタン等が押下されると、スキャナシステム２０４により電子ペーパーの１ページ分の画像を読み取る。
【００６９】
そして、ＣＰＵ１１００は、読み取られた電子ペーパーの画像データをプリンタ部１３０で印刷し、ステップＳ２０５に進む。
【００７０】
ステップＳ２０５では、ＣＰＵ１１００は、ユーザ操作により操作部１４０で指定された印刷枚数の画像データがスキャナシステム２０４により読み取られたか否かを判断する。
【００７１】
そして、ＣＰＵ１１００は、指定された印刷枚数の画像データが読み取られた場合は、ステップＳ２０６に進み、指定された印刷枚数の画像データが読み取られていない場合は、ステップＳ２０７に進む。
【００７２】
ステップＳ２０７では、ＣＰＵ１１００は、非接触通信Ｉ／Ｆ２０３，２０３ａを介して原稿台２０２に載置された電子ペーパーにページ送りコマンドを発行し、ステップＳ２０４に戻る。ここで、電子ペーパーの画像表示部３０１には、次ページの画像が表示される。
【００７３】
ステップＳ２０６では、ＣＰＵ１１００は、ユーザ操作により操作部１４０で指定された印刷部数の画像データがスキャナシステム２０４により読み取られたか否かを判断する。
【００７４】
そして、ＣＰＵ１１００は、指定された印刷部数の画像データが読み取られた場合は、処理を終了し、指定された印刷部数の画像データが読み取られていない場合は、ステップＳ２０８に進む。
【００７５】
ステップＳ２０８では、ＣＰＵ１１００は、非接触通信Ｉ／Ｆ２０３，２０３ａを介して原稿台２０２に載置された電子ペーパーに先頭ページ戻りコマンドを発行し、ステップＳ２０４に戻る。ここで、電子ペーパーの画像表示部３０１には、先頭ページの画像が表示される。
【００７６】
以上説明したように、本実施形態では、印刷枚数が操作部１４０で指定された枚数に達していない場合は、電子ペーパーに対してページ送りコマンドを発行して電子ペーパーに次ページの画像を表示させる。
【００７７】
また、印刷枚数が操作部１４０で指定された枚数に達している場合は、印刷部数が指定印刷部数に達するまで、電子ペーパーに対して先頭ページ戻りコマンドを発行し、電子ペーパーに先頭ページの画像を表示させる。
【００７８】
これにより、記憶容量の比較的小さい記憶装置しか備えていない画像処理装置であっても、電子ペーパーの複数ページの画像を複数部数ソート印刷することができる。
【００７９】
（第３の実施形態）
次に、図９及び図１０を参照して、本発明の第３の実施形態である画像処理装置について説明する。なお、上記第１の実施形態に対して重複又は相当する部分については、図及び符号を流用して説明する。
【００８０】
図９は、本実施形態における電子ペーパーの一例を示す図である。
【００８１】
図９（ａ）は、電子ペーパー３００に格納されている文書データの一覧が画像表示部３０１に表示されている状態を示す図である。
【００８２】
図９（ａ）の例では、電子ペーパー３００には、ファイル名がドキュメントＡとドキュメントＢの文書データが電子ペーパー３００に格納され、例えばドキュメントＡのページ総数は２０ページ、ドキュメントＢのページ総数は３０ページとされている。
【００８３】
図９（ｂ）は、画像表示部３０１にドキュメントＡの１ページ目の文書データが表示された状態を示す図である。図９（ａ）の表示状態から、何れかのドキュメントがユーザによって選択された場合に、図９（ｂ）の画面が表示されることになる。
【００８４】
画像表示部３０１にドキュメントが表示されている場合は、該画像表示部３０１には、次ページにページ送りするためのボタン３０６と前ページにページを戻すためのボタン３０７が表示される。例えば、ドキュメントＡの２０ページ目を表示しているときに次ページボタン３０６が押されると、ドキュメントＢの１ページ目が表示される。
【００８５】
次に、図１０を参照して、本実施形態の画像処理装置１００の動作例について説明する。図１０での各処理は、制御装置１１０のＲＯＭ１１２０等に記憶されたプログラムがＲＡＭ１１１０にロードされて、ＣＰＵ１１００等により実行される。
【００８６】
なお、ここでは、電子ペーパーの画像データを印刷する際には、図９（ａ）のドキュメントＡの文書データの４ページ〜１０ページ（７ページ分）を２部印刷する場合を例に採る。この場合、原稿台２０２には、図９（ｂ）の次ページボタン３０６の操作により先頭ページとして４ページ目の文書データが画像表示部３０１に表示された電子ペーパー３００が載置された状態で処理が開始される。
【００８７】
ステップＳ３０１では、ＣＰＵ１１００は、操作部１４０でのユーザ操作により原稿種類選択部４０１で紙原稿が選択されているか、電子ペーパーが選択されているかを判別する。
【００８８】
そして、 ＣＰＵ１１００は、紙原稿が選択されている場合は、ステップＳ３０３に進み、電子ペーパーが選択されている場合は、ステップＳ３０２に進む。
【００８９】
ステップＳ３０３では、ＣＰＵ１１００は、操作部１４０のコピー開始ボタン等が押下されると、原稿給紙ユニット１２１から給紙された原稿又は原稿台２０２に載置された原稿の画像をスキャナシステム２０４により読み取り、ステップＳ３０４に進む。
【００９０】
ステップＳ３０４では、ＣＰＵ１１００は、ステップＳ３０３で読み取られた原稿の画像データをプリンタ部１３０で印刷し、処理を終了する。
【００９１】
一方、ステップＳ３０２では、ＣＰＵ１１００は、操作部１４０の表示部４００にソート印刷機能の選択タグ４０３を表示するとともに、選択タグ４０３でソート印刷が選択されているか否かを判断する。
【００９２】
そして、ＣＰＵ１１００は、ソート印刷が選択されている場合は、ステップＳ３０５に進み、ソート印刷が選択されていない場合は、ステップＳ３０３に進み、上記同様の処理を行う。
【００９３】
ステップＳ３０５では、ＣＰＵ１１００は、操作部１４０のコピー開始ボタン等が押下されると、スキャナシステム２０４により原稿台２０２に載置された電子ペーパーの１ページ分の画像を読み取る。
【００９４】
そして、ＣＰＵ１１００は、読み取られた電子ペーパーの画像データをプリンタ部１３０で印刷し、ステップＳ３０６に進む。
【００９５】
ステップＳ３０６では、ＣＰＵ１１００は、ユーザ操作により操作部１４０で指定された印刷枚数（ここでは、７ページ）の画像データがスキャナシステム２０４により読み取られたか否かを判断する。
【００９６】
そして、ＣＰＵ１１００は、指定された印刷枚数の画像データが読み取られた場合は、ステップＳ３０９に進み、指定された印刷枚数の画像データが読み取られていない場合は、ステップＳ３０７に進む。
【００９７】
ステップＳ３０７では、ＣＰＵ１１００は、非接触通信Ｉ／Ｆ２０３，２０３ａを介して原稿台２０２に載置された電子ペーパーにページ送りコマンドを発行し、ステップＳ３０５に戻る。ここで、電子ペーパーの画像表示部３０１には、次ページの画像が表示される。
【００９８】
ステップＳ３０９では、ＣＰＵ１１００は、ユーザ操作により操作部１４０で指定された印刷部数（ここでは、２部）の画像データがスキャナシステム２０４により読み取られたか否かを判断する。
【００９９】
そして、ＣＰＵ１１００は、指定された印刷部数の画像データが読み取られた場合は、処理を終了し、指定された印刷部数の画像データが読み取られていない場合は、ステップＳ３０８に進む。
【０１００】
ステップＳ３０８では、ＣＰＵ１１００は、非接触通信Ｉ／Ｆ２０３，２０３ａを介して原稿台２０２に載置された電子ペーパーに先頭ページ戻りコマンドを発行し、ステップＳ３０５に戻る。ここで、電子ペーパーの画像表示部３０１には、先頭ページ（４ページ目）の画像が表示される。
【０１０１】
以上説明したように、本実施形態では、電子ペーパーの先頭ページを任意に選択操作し、印刷枚数が操作部１４０で指定された枚数に達していない場合は、電子ペーパーに対してページ送りコマンドを発行して電子ペーパーに次ページの画像を表示させる。
【０１０２】
また、印刷枚数が操作部１４０で指定された枚数に達している場合は、印刷部数が指定印刷部数に達するまで、電子ペーパーに対して先頭ページ戻りコマンドを発行し、電子ペーパーに先頭ページの画像を表示させる。
【０１０３】
これにより、記憶容量の比較的小さい記憶装置しか備えていない画像処理装置であっても、電子ペーパーの複数ページの画像を複数部数ソート印刷することができる。
【０１０４】
なお、本発明は、上記各実施形態に例示したものに限定されるものではなく、本発明の要旨を逸脱しない範囲において適宜変更可能である。
【０１０５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０６】
１００  画像処理装置
１１０  制御装置
１２０  画像読取部
１２１  原稿給紙ユニット
１２２  スキャナユニット
１３０  プリンタ部
１４０  操作部
３００  電子ペーパー
【図１】
2011010089.tif 000003
【図２】
2011010089.tif 000004
【図３】
2011010089.tif 000005
【図４】
2011010089.tif 000006
【図５】
2011010089.tif 000007
【図６】
2011010089.tif 000008
【図７】
2011010089.tif 000009
【図８】
2011010089.tif 000010
【図９】
2011010089.tif 000011
【図１０】
2011010089.tif 000012